(57)【特許請求の範囲】
【請求項１】
プラスチックボトルまたは表面がプラスチックフィルムの軟包装袋からなる食品用包装容器であって、
前記食品用包装容器の外面に、水またはアルコール系溶剤に、ポリビニルアルコールを溶解させ、苦味催吐剤であるベンジルジエチル〔（２，６−キシリルカルボアモイル）メチル〕アンモニウムベンゾエートを添加した塗工液が塗着されていることを特徴とする害虫忌避機能を有する食品用包装容器。
【請求項２】
シュリンクフィルムまたはオーバーフィルムに包まれている食品用包装容器であって、
前記シュリンクフィルムまたはオーバーフィルムの外面に、水またはアルコール系溶剤に、ポリビニルアルコールを溶解させ、苦味催吐剤であるベンジルジエチル〔（２，６−キシリルカルボアモイル）メチル〕アンモニウムベンゾエートを添加した塗工液が塗着されていることを特徴とする害虫忌避機能を有する食品用包装容器。
【発明の詳細な説明】
【０００１】
【発明の属する技術分野】
本発明は、害虫忌避の機能を有する包装容器に関するものであり、特に食品類を収納し、保管しておく害虫忌避機能を有する食品用包装容器に関する。
【０００２】
【従来の技術】
従来、例えば、紙カップや紙箱内に臭気のある食品類等を収納して保管しておくと、チャタテ虫やコクゾウ虫などがその臭いや揮発成分に引きつられて、紙を破って中に入る場合があるという問題があり、その対策として、食品類用以外の容器（袋）用としては、例えば特開平５−１７６６６６号公報に開示されているように、コオロギ類、ハサミムシなどに対する害虫忌避剤である有機リン系、フェノトリン等ビレスロイド系などの揮発性物質を外層に含有させた家畜飼料包装体の虫害防止用シートがある。
【０００３】
しかしながらここで使用される害虫忌避剤は、食品類用の包装容器に適用することは、これら揮発性物質の揮発成分やその臭い等が容器を通して内容物（食品類）に移行し、その結果食品類の味覚が変わる（劣る）等の問題があり使用不可能であった。また同様に人体に無害のヒノキチオール、ヒバエキスあるいはワサビのフレーバーの如き植物性の臭気のある剤を外面に塗布する方法があった。しかしこの剤もこの臭気が容器を通して内容物（食品類）に移行し、その風味が損なわれる場合があった。
【０００４】
これらの問題を解決する食品類用容器として、例えば特開平３−１１１２７５号公報に開示されているように、少なくともフェノトリン等ビレスロイド系などの揮発性物質でなる殺虫剤もしくは防虫剤を含有する最外層と、アルミニウム箔、金箔、銀箔等のバリア性を有する中間層と、ヒートシール性を有する最内層とからなる軟包装材を用いた食品類用包装袋がある。
【０００５】
【発明が解決しようとする課題】
しかしながら、上記従来の食品類用包装袋において、このような揮発成分や臭気の移行を防止するために、上記のように容器にアルミニウム箔やアルミニウムを蒸着フィルム等の臭気等のバリア材を積層するという、いわゆるオーバースペックとすることで、その結果製造コストが嵩むという問題があった。
【０００６】
本発明は、かかる従来技術の問題点を解決するものであり、その課題とするところは、バリア性を必要としない食品用包装容器にも容易に適用可能な、即ち従来のような揮発成分やその臭気によらずに害虫忌避機能を発現する剤を塗着した害虫忌避機能を有する食品用包装容器を提供することにある。
【０００７】
【課題を解決するための手段】
本発明に於いて上記課題を達成するために、まず請求項１の発明では、プラスチックボトルまたは表面がプラスチックフィルムの軟包装袋からなる食品用包装容器であって、
前記食品用包装容器の外面に、水またはアルコール系溶剤に、ポリビニルアルコールを溶解させ、苦味催吐剤であるベンジルジエチル〔（２，６−キシリルカルボアモイル）メチル〕アンモニウムベンゾエートを添加した塗工液が塗着されていることを特徴とする害虫忌避機能を有する食品用包装容器としたものである。
【０００８】
また、請求項２の発明では、シュリンクフィルムまたはオーバーフィルムに包まれている食品用包装容器であって、
前記シュリンクフィルムまたはオーバーフィルムの外面に、水またはアルコール系溶剤に、ポリビニルアルコールを溶解させ、苦味催吐剤であるベンジルジエチル〔（２，６−キシリルカルボアモイル）メチル〕アンモニウムベンゾエートを添加した塗工液が塗着されていることを特徴とする害虫忌避機能を有する食品用包装容器としたものである。
【０００９】
上記請求項１及び２の発明によれば、外面の害虫忌避機能塗着剤が臭気によるのではなく、苦味即ち味覚によるもので、従来のような内容物（食品類）への揮発成分や臭気の移行による風味の劣化（変化）を考慮する必要がないので、バリア性を必要としない食品用包装容器にも容易に適用可能な剤を施した製造コストが嵩まない害虫忌避機能を有する食品用包装容器を提供できる。
【００１０】
上記請求項１及び２の発明によれば、苦味催吐剤を、揮発成分がなく無臭、無害で安全性が確立しているベンジルジエチル〔（２，６−キシリルカルボアモイル）メチル〕アンモニウムベンゾエートとすることによって、食品類の包装容器に適用可能で、かつアルコール系の溶剤や水溶剤に比較的溶解し易いことから、包装容器の種類や形態を特に選ばずに容易に均一に塗着された害虫忌避機能を有する食品用包装容器とすることができる。
【００１１】
【発明の実施の形態】
以下本発明の実施又は参考の形態を説明する。本発明は、食品や飲料を収納する包装容器であって、さらに詳しくは、害虫忌避の機能を有する剤を外面に塗着した害虫忌避機能を有する食品用包装容器に関するものである。
【００１２】
上記本発明の害虫忌避機能を有する食品用包装容器の実施又は参考の形態は、例えば図１の側断面図に示すように、食品類（図示せず）が収納されている紙カップ本体（１０）およびそのフランジ部（１２）にシールされている蓋材（２０）の外面に、苦味催吐剤が含有する害虫忌避機能性塗膜（３０）が施されている害虫忌避機能を有する食品用包装容器（１）である。
【００１３】
上記食品用包装容器（１）の実施又は参考の形態として、上記の紙カップの他紙箱、プラスチック容器、軟包装袋あるいは段ボール箱などとすることもでき、さらにこれら包装容器を包むシュリンクフィルムやオーバーフィルムに害虫忌避機能性塗膜を施した害虫忌避機能を有する食品用包装容器とすることもできる。
【００１４】
また、本発明では、害虫忌避機能性塗膜（３０）に含有する苦味催吐剤として、ベンジルジエチル〔（２，６−キシリルカルボアモイル）メチル〕アンモニウムベンゾエートを用いた害虫忌避機能を有する食品用包装容器（１）としたものである。
【００１５】
この苦味催吐剤は、揮発成分がなく、無臭、無害であるので、例えアルミニウム箔などのバリア層を施していない（施す必要のない）食品用包装容器の場合でも、臭いが内容物に移行する心配がないので、その外面に害虫忌避機能性塗膜（３０）として施しても、内容物の味覚が損なうなどの問題がなく、上記化学名の苦味催吐剤は、水やアルコール類に溶解させることができ容易に塗着が可能な害虫忌避機能を有する食品用包装容器（１）とすることができる。
【００１６】
以下にこの苦味催吐剤についてさらに詳しく説明する。
本発明の害虫忌避機能を有する食品用包装容器に用いる苦味催吐剤は、毒性のない、人間が感じうる最高の苦味を利用した催吐剤で、一般的には飲用すると有害な家庭用品に少量添加することによって、子供達を誤飲による事故から守る誤飲防止剤として利用されているものである。そこでこの水溶液を植物に吸わせると、吸わせなかった植物よりも害虫忌避の効果を発現するという情報から、本発明者らは、例えばこの苦味催吐剤の味覚を足で感じる蠅などは、この溶液を塗布した食品類の包装容器には寄ってこないのではないかと考え、本発明に至ったものである。
【００１７】
この苦味催吐剤は、構造式
【化１】
0004677676.tif 000002
で表されるベンジルジエチル〔（２，６−キシリルカルボアモイル）メチル〕アンモニウムベンゾエートで、１６３〜１７０℃の融点を持つ白色、無臭の粒剤である。
【００１８】
またこのこの苦味催吐剤は、水のほかメタノール、エタノール、ブタノール、イソプロパノール等アルコール類、クロロホルム、エチレングリコール等に溶解する性質を持つ剤であり、これら溶液を乾燥性等を考慮した混合溶剤としてこれに溶解させて塗布することができる。
【００１９】
また上記苦味催吐剤の食品用包装容器への塗着は、例えば前述のようにイソプロパノールやエチレングリコール等に溶解した液をスプレーなどで紙カップや紙箱、段ボール箱などへ塗布、乾燥して害虫忌避機能性塗膜（３０）とすることができる。
【００２０】
また、例えばプラスチックボトルや表面がプラスチックフィルムの軟包装袋、あるいはシュリンクフィルム、オーバーフィルムなどへの塗着は、上記の水溶液やアルコール系の溶液の塗膜では水等で流れ落ちる可能性があるので、例えば水やアルコール系溶剤に溶解するポリビニルアルコールをバインダーとし、これに上記苦味催吐剤を添加した塗工液とし、ディピングコート、スプレーコートの他、シート状のシュリンクフィルム、オーバーフィルムなどへの塗着は、グラビア方式、ロール方式などで塗布することができる。
【００２１】
また、例えばアクリル系樹脂等を水中分散したエマルジョンワニスをビヒクルとしたものに、この剤を添加したインキとし、前記と同様ディピングコートやグラビア法式等で塗着することができる。これら塗工液を紙カップや紙箱、段ボール箱にも適用することで耐水性を与えることもできる。さらにまた、例えばラックカイガラ虫が分泌する樹脂状物質で、この苦味催吐剤と同様にメタノール、イソプロパノール等アルコール類に溶解するシェラック樹脂をバインダーとし、この苦味催吐剤を添加した塗工液を、スプレーやグラビア法式等で紙カップや紙箱、段ボール箱に塗布することで、耐水性とともに生分解性も有する環境に配慮された害虫忌避機能を有する食品用包装容器（１）とすることもできる。
【００２２】
この苦味催吐剤は、５０ｐｐｂ程度で苦味が感じられるが、害虫忌避効果としては、１００ｐｐｍ以内で２０ｐｐｍ以上程度が好ましく、１００ｐｐｍを越えても害虫忌避効果の向上はそれほどなく、高価な苦味催吐剤なのでコスト高となり、２０ｐｐｍに満たないと害虫忌避効果が薄くなるので好ましくない。具体的には、苦味催吐剤が１重量％含む塗工液を２ｇ／ｍ2 （ｗｅｔ）程度の塗布量が好適である。
【００２３】
【発明の効果】
本発明は以上の構成であるから、下記に示す如き効果がある。
即ち、外面に、苦味催吐剤が塗着されている害虫忌避機能を有する食品用包装容器であって、外面の害虫忌避機能塗着剤が、従来のように揮発成分やその臭気によるものではなく、苦味即ち味覚によるものなので、内容物（食品類）へ臭気が移行して風味が劣化（変化）するということを考慮する必要がなく、従ってガスバリア性を必要としない食品用包装容器にも容易に適用可能な剤を施した製造コストが嵩まない害虫忌避機能を有する食品用包装容器を提供できる。
【００２４】
さらにまた、前記苦味催吐剤を、無臭、無害で安全性が確立しているベンジルジエチル〔（２，６−キシリルカルボアモイル）メチル〕アンモニウムベンゾエートとすることによって、食品類の包装容器に適用可能で、かつアルコール系の溶剤や水溶剤等に溶解し易いことから、包装容器の種類や形態を特に選ぶ必要がなく表面に容易に均一に塗着された害虫忌避機能を有する食品用包装容器とすることができる。
【００２５】
従って本発明は、特に食品や飲料の包装容器で、内容物の食品類に寄ってくる害虫を忌避するための害虫忌避機能を有する食品用包装容器として、優れた実用上の効果を発揮する。
【図面の簡単な説明】
【図１】  本発明の害虫忌避機能を有する食品用包装容器の一参考の形態を説明するための側断面である。
【符号の説明】
１‥‥害虫忌避機能を有する食品用包装容器
１０‥‥紙カップ本体
１２‥‥フランジ部
２０‥‥蓋材
【図１】
0004677676.tif 000003